(57)【要約】【課題】複数のシートを重ねて保持するシート保持装置において、複数の前記シートを重ねて保持する際、複数の前記シートの夫々にかかる張力を前記シートの夫々において好ましい張力にする。【解決手段】複数のシート２５、２６を重ねて保持するシート保持部２８ａ、２８ｂ、２８ｃ、２８ｄ、Ｓ及び３３を備え、前記シート保持部２８ａ、２８ｂ、２８ｃ、２８ｄ、Ｓ及び３３は、複数の前記シート２５、２６の夫々に異なる張力を付与可能であることを特徴とするシート保持装置Ｐ。【選択図】図７
2015098143.tif 000002
【特許請求の範囲】
【請求項１】
複数のシートを重ねて保持するシート保持部を備え、
前記シート保持部は、複数の前記シートの夫々に異なる張力を付与可能であることを特徴とするシート保持装置。
【請求項２】
請求項１に記載のシート保持装置において、
前記シート保持部は、複数の前記シート間に空間を設けた状態で、複数の前記シートを重ねて保持することを特徴とするシート保持装置。
【請求項３】
請求項１又は２に記載のシート保持装置において、
前記シート保持部は、摩擦力又は吸引力により複数の前記シートを重ねて保持することを特徴とするシート保持装置。
【請求項４】
請求項３に記載のシート保持装置において、
前記シート保持部は、複数の前記シートを重ねてニップするローラー対であって、
前記ローラー対は、該ローラー対を構成する夫々のローラーを個別に駆動可能であることを特徴とするシート保持装置。
【請求項５】
請求項３に記載のシート保持装置において、
前記シート保持部は、
複数の前記シートを重ねて押圧する押圧部と、
前記押圧部が押し当てられる第１押し当て部と、
前記第１押し当て部に引き続いて前記押圧部が押し当てられ、該第１押し当て部よりも摩擦係数の高い第２押し当て部と、を備えることを特徴とするシート保持装置。
【請求項６】
請求項２に記載のシート保持装置において、
重ねられた複数の前記シートを一方の側から吸引する吸引部を備え、
前記吸引部が前記シートを吸引することにより複数の前記シート間に前記空間を設けることを特徴とするシート保持装置。
【請求項７】
請求項１から６のいずれか１項に記載のシート保持装置と、
前記シート保持装置に保持された前記シートにインクを吐出して記録する記録部と、
前記記録部で記録された前記シートの前記インクを加熱する加熱部と、を備え、
前記シート保持装置は、前記加熱部による前記インクの加熱時において、複数の前記シート間に空間を設けた状態で複数の前記シートを重ねて保持することを特徴とするシート保持装置。
【請求項８】
複数のシートを重ねて保持するシート保持方法であって、
複数の前記シートの夫々に異なる張力を付与することを特徴とするシート保持方法。
【発明の詳細な説明】
【技術分野】
【０００１】
本発明は、シート保持装置、記録装置及びシート保持方法に関する。
【背景技術】
【０００２】
従来から、例えば袋状のシートのような複数のシートを重ねて保持するシート保持装置が使用されている。このうち、例えば、特許文献１では、複数のシートを重ねて保持するシート保持装置を備える記録装置が開示されている。
【先行技術文献】
【特許文献】
【０００３】
【特許文献１】特開２０１１−１７８１０４号公報
【発明の概要】
【発明が解決しようとする課題】
【０００４】
このような、複数のシートを重ねて保持するシート保持装置において、複数の前記シートを重ねて保持する際、複数の前記シートの夫々にかかる張力を前記シートの夫々において好ましい張力にすることがユーザーから望まれている。
【０００５】
そこで、本発明の目的は、複数のシートを重ねて保持するシート保持装置において、複数の前記シートを重ねて保持する際、複数の前記シートの夫々にかかる張力を前記シートの夫々において好ましい張力にすることである。
【課題を解決するための手段】
【０００６】
上記課題を解決するための本発明のシート保持装置は、複数のシートを重ねて保持するシート保持部を備え、前記シート保持部は、複数の前記シートの夫々に異なる張力を付与可能であることを特徴とする。
【０００７】
ここで、「複数の前記シートの夫々に異なる張力を付与」とは、複数の前記シートの夫々に、同じ方向から異なる大きさの力を加えて異なる張力を付与することのほか、異なる方向から力を加えて異なる張力を付与することも含む意味である。  
本態様によれば、前記シート保持部は、複数の前記シートの夫々に異なる張力を付与可能である。このため、複数の前記シートを重ねて保持する際、複数の前記シートの夫々にかかる張力を好ましい張力にすることができる。
【０００８】
本発明のシート保持装置は、前記の態様において、前記シート保持部は、複数の前記シート間に空間を設けた状態で、複数の前記シートを重ねて保持することを特徴とする。
【０００９】
複数の前記シートを重ねて保持する際、複数の前記シート間に空間を設けた状態で、複数の前記シートを重ねて保持することが要求される場合がある。重ねられた前記シート同士の干渉等を抑制するためである。本態様によれば、前記シート保持部は、複数の前記シート間に空間を設けた状態で、複数の前記シートを重ねて保持する。このため、重ねられた前記シート同士の干渉等を抑制することができる。
【００１０】
本発明のシート保持装置は、前記の態様において、前記シート保持部は、摩擦力又は吸引力により複数の前記シートを重ねて保持することを特徴とする。
【００１１】
本態様によれば、前記シート保持部は、摩擦力又は吸引力により複数の前記シートを重ねて保持する。このため、簡単な構成で複数の前記シートを重ねて保持することができる。
【００１２】
本発明のシート保持装置は、前記の態様において、前記シート保持部は、複数の前記シートを重ねてニップするローラー対であって、前記ローラー対は、該ローラー対を構成する夫々のローラーを個別に駆動可能であることを特徴とする。
【００１３】
本態様によれば、前記ローラー対は、該ローラー対を構成する夫々のローラーを個別に駆動可能である。このため、前記ローラー対により、複数の前記シートを重ねて保持する際、複数の前記シートの夫々にかかる張力を精度よく好ましい張力にすることができる。
【００１４】
本発明のシート保持装置は、前記の態様において、前記シート保持部は、複数の前記シートを重ねて押圧する押圧部と、前記押圧部が押し当てられる第１押し当て部と、前記第１押し当て部に引き続いて前記押圧部が押し当てられ、該第１押し当て部よりも摩擦係数の高い第２押し当て部と、を備えることを特徴とする。
【００１５】
本態様によれば、前記押圧部を前記第１押し当て部に押し当て、前記第１押し当て部に引き続いて該第１押し当て部よりも摩擦係数の高い第２押し当て部に押し当てる。すなわち、例えば、前記シート保持装置における前記第１押し当て部と前記第２押し当て部とを摩擦係数の異なる材料で構成するというような簡単な構成で、複数の前記シートを重ねて保持する際、複数の前記シートの夫々にかかる張力を好ましい張力にすることができる。
【００１６】
本発明のシート保持装置は、前記の態様において、重ねられた複数の前記シートを一方の側から吸引する吸引部を備え、前記吸引部が前記シートを吸引することにより複数の前記シート間に前記空間を設けることを特徴とする。
【００１７】
本態様によれば、重ねられた複数の前記シートを一方の側から吸引する吸引部を備え、前記吸引部が前記シートを吸引することにより複数の前記シート間に前記空間を設ける。このため、このような簡単な構成で、重ねられた前記シート同士の干渉等を抑制することができる。
【００１８】
本発明の記録装置は、前記の態様のシート保持装置と、前記シート保持装置に保持された前記シートにインクを吐出して記録する記録部と、前記記録部で記録された前記シートの前記インクを加熱する加熱部と、を備え、前記シート保持装置は、前記加熱部による前記インクの加熱時において、複数の前記シート間に空間を設けた状態で複数の前記シートを重ねて保持することを特徴とする。
【００１９】
前記加熱部による前記インクの加熱時において、複数の前記シート間に空間を設けない状態で複数の前記シートを重ねて保持すると、前記加熱部の熱により複数の前記シート間が貼り付いてしまう虞がある。本態様によれば、前記シート保持装置は、前記加熱部による加熱時において、複数の前記シート間に空間を設けた状態で複数の前記シートを重ねて保持する。このため、前記加熱部による加熱時において、複数の前記シート間が貼り付いてしまう虞を抑制できる。
【００２０】
本発明のシート保持方法は、複数のシートを重ねて保持するシート保持方法であって、複数の前記シートの夫々に異なる張力を付与することを特徴とする。
【００２１】
本態様によれば、複数の前記シートの夫々に異なる張力を付与するため、複数の前記シートを重ねて保持する際、複数の前記シートの夫々にかかる張力を好ましい張力にすることができる。
【図面の簡単な説明】
【００２２】
【図１】本発明の実施例１に係る記録装置を表す概略平面図。
【図２】本発明の実施例１に係る記録装置を表す概略平面図。
【図３】本発明の実施例１に係る記録装置を表す概略平面図。
【図４】本発明の実施例１に係る記録装置を表す概略平面図。
【図５】本発明の実施例１に係る記録装置を表す概略平面図。
【図６】本発明の実施例１に係る記録装置を表す概略平面図。
【図７】本発明の実施例１に係る記録装置のパレットを表す概略平面図。
【図８】本発明の実施例１に係る記録装置のパレットを表す概略側断面図。
【図９】本発明の実施例２に係る記録装置のパレットを表す概略側断面図。
【発明を実施するための形態】
【００２３】
［実施例１］（図１〜図８）  
以下に、本発明の実施例１に係る記録装置について、添付図面を参照して詳細に説明する。  
なお、本実施例の記録装置は、複数のシートを重ねて保持するシート保持装置として、該記録装置で記録する被記録媒体である該シートを支持するための、パレットを備えている。しかしながら、本発明のシート保持装置は、パレットに限定されず、例えば、被記録媒体としての該シートを搬送する、該被記録媒体の搬送経路に設けられた複数の搬送ローラー対であってもよい。さらに、本発明のシート保持装置は、記録装置に用いられるものでなくてもよい。
【００２４】
最初に、本実施例の記録装置の概要について説明する。  
図１から図６は、本実施例の記録装置１を表す概略平面図である。  
上記のように、本実施例の記録装置１は、パレットＰにより被記録媒体Ｍを搬送する構成である。ここで、パレットＰに支持される被記録媒体Ｍは内面どうしを密着させた状態の袋状のシートである。このため、パレットＰは、複数のシートを重ねて保持するシート保持装置に該当する。すなわち、複数のシートとは、それぞれが独立した状態のものだけでなく、部分的につながった状態のものも含める。
【００２５】
図１は、被記録媒体ＭがパレットＰにセットされる前の状態を表している。  
本実施例の記録装置１は、パレットＰに支持された被記録媒体Ｍに、下地層ＷとしてのホワイトインクをノズルＮから方向Ｃに吐出する、記録部としての記録ヘッド４を備えている。また、下地層Ｗとしてのホワイトインクが吐出された被記録媒体Ｍに、記録画像Ｉを形成するためのカラーインクをノズルＮから方向Ｃに吐出する、記録部としての記録ヘッド５を備えている。なお、本実施例の記録装置１は、パレットＰ１からパレットＰ１２の、合計１２個のパレットＰを備えている。
【００２６】
記録ヘッド４は、キャリッジ７に搭載されてガイドバー６に沿って方向Ｂに往復移動することにより、被記録媒体Ｍにホワイトインクを吐出する。また、記録ヘッド５は、キャリッジ９に搭載されてガイドバー８に沿って方向Ｂに往復移動することにより、被記録媒体Ｍにカラーインクを吐出する。  
ここで、記録ヘッド４の方向Ｂの往復移動によって記録ヘッド４のノズルＮが対向する位置は記録位置１０であり、記録ヘッド５の方向Ｂの往復移動によって記録ヘッド５のノズルＮが対向する位置は記録位置１１である。  
なお、本実施例の記録装置１は、往復移動しながら記録する記録ヘッド４及び５を備えているが、インクを吐出するノズルを搬送方向Ａと交差する方向Ｂに複数設けた所謂ラインヘッドを備える記録装置でもよい。  
ここで、「ラインヘッド」とは、被記録媒体Ｍの搬送方向Ａと交差する方向Ｂに形成されたノズルの領域が、被記録媒体Ｍの前記方向Ｂ全体をカバー可能なように設けられ、記録ヘッド又は被記録媒体Ｍの一方を固定し他方を移動させて画像を形成する記録装置に用いられる記録ヘッドである。なお、ラインヘッドの前記方向Ｂのノズルの領域は、記録装置が対応している全ての被記録媒体Ｍの前記方向Ｂ全体をカバー可能でなくてもよい。また、記録ヘッドと被記録媒体Ｍの双方を移動可能な構成とし、記録ヘッドと被記録媒体Ｍの一方、又は、双方を移動させて画像を形成してもよい。
【００２７】
また、本実施例の記録装置１は、被記録媒体Ｍの搬送経路として、記録ヘッド４による記録位置１０及び記録ヘッド５による記録位置１１を含まない第１領域２と、記録ヘッド４による記録位置１０及び記録ヘッド５による記録位置１１を含む第２領域３とを有している。
【００２８】
第１領域２には、パレットＰを移動させて被記録媒体Ｍを搬送する第１搬送部としてのローラー１２が第１領域２全体にわたって設けられている。なお、第１領域２は記録ヘッド４による記録位置１０及び記録ヘッド５による記録位置１１を含まないので、第１搬送部を、本実施例のローラー１２のように、搬送精度がそれほど高くなく高速搬送可能な簡単な構成のものにすることができる。  
また、第２領域３は、被記録媒体Ｍを支持したパレットＰを搬送する搬送経路が第１搬送経路１３及び第２搬送経路１４と複数（２つ）設けられている。そして、第１搬送経路１３にはローラー１２よりも高い搬送精度で被記録媒体Ｍを搬送する第２搬送部としてのキャリッジ１５が設けられ、第２搬送経路１４にはローラー１２よりも高い搬送精度で被記録媒体Ｍを搬送する第２搬送部としてのキャリッジ１６が設けられている。
【００２９】
パレットＰに支持された被記録媒体Ｍは、ローラー１２と、キャリッジ１５又はキャリッジ１６と、により、搬送方向Ａに搬送される。
【００３０】
第１領域２には、被記録媒体Ｍを方向Ｘに移動させることによりパレットＰに被記録媒体Ｍを供給する供給部１７と、被記録媒体Ｍを方向Ｙに移動させることによりパレットＰから被記録媒体Ｍを回収する回収部１８と、を備えている。すなわち、被記録媒体Ｍは、供給部１７から方向Ｘに移動することによりパレットＰに支持され、パレットＰに支持された状態で搬送方向Ａに搬送され、パレットＰから方向Ｙに移動することにより回収部１８で回収される。
【００３１】
また、第１領域２には、被記録媒体Ｍに記録ヘッド４から吐出されたホワイトインク及び被記録媒体Ｍに記録ヘッド５から吐出されたカラーインクを加熱することで乾燥させる加熱部１９が設けられている。
【００３２】
また、第２領域３の搬送方向Ａの後端付近には、第２領域３から第１領域２にパレットＰを移動するパレット移動部２０が設けられている。なお、本実施例の記録装置１は、第１領域２から第２領域３のキャリッジ１５及び１６にパレットＰを移動する不図示のパレット移動部も設けられている。
【００３３】
以下に、被記録媒体ＭがパレットＰにセットされた後の本実施例の記録装置１の動作について図２から図６を用いて詳細に説明する。  
図２は、第１領域２において被記録媒体ＭがパレットＰ１にセットされ、第２領域３の第１搬送経路１３のキャリッジ１５上に、被記録媒体ＭがセットされたパレットＰ１が移動した状態を表している。  
なお、パレットＰ１が被記録媒体Ｍのセット位置からキャリッジ１５上に移動したことに伴って、第１領域２におけるパレットＰ２からパレットＰ１２は図１で表される状態から搬送方向Ａに移動している。
【００３４】
図３は、第２領域３の第１搬送経路１３のキャリッジ１５上に被記録媒体ＭがセットされたパレットＰ１があり、第２領域３の第２搬送経路１４のキャリッジ１６上に被記録媒体ＭがセットされたパレットＰ２がある状態を表している。  
なお、パレットＰ２が被記録媒体Ｍのセット位置からキャリッジ１５上に移動したことに伴って、第１領域２におけるパレットＰ３からパレットＰ１２は図２で表される状態からさらに搬送方向Ａに移動している。  
また、図３において、パレットＰ１に支持された被記録媒体Ｍは、記録ヘッド４からホワイトインクが吐出されて下地層Ｗが形成されている。
【００３５】
図４は、図３と同様、第２領域３の第１搬送経路１３のキャリッジ１５上に被記録媒体ＭがセットされたパレットＰ１があり、第２領域３の第２搬送経路１４のキャリッジ１６上に被記録媒体ＭがセットされたパレットＰ２がある状態を表している。  
ただし、図４では、パレットＰ１に支持された被記録媒体Ｍは記録ヘッド５からカラーインクが吐出されて記録画像Ｉが形成されており、パレットＰ２に支持された被記録媒体Ｍは記録ヘッド４からホワイトインクが吐出されて下地層Ｗが形成されている。
【００３６】
図５は、第２領域３の第１搬送経路１３から第１領域２にパレットＰ１が移動し、第２領域３の第１搬送経路１３のキャリッジ１５上に被記録媒体ＭがセットされたパレットＰ３がある状態を表している。  
また、図５は、パレットＰ２に支持された被記録媒体Ｍが記録ヘッド５からカラーインクが吐出されて記録画像Ｉが形成されている最中の状態である。  
なお、パレットＰ３が被記録媒体Ｍのセット位置からキャリッジ１５上に移動したことに伴って、第１領域２におけるパレットＰ４からパレットＰ１２は図３及び図４で表される状態からさらに搬送方向Ａに移動している。
【００３７】
図６は、パレットＰに支持された被記録媒体Ｍへの記録が進み、パレットＰ１が被記録媒体Ｍのセット位置に再び至った状態を表している。  
図６において、被記録媒体ＭがセットされたパレットＰ１２は第１搬送経路１３のキャリッジ１５上に位置し、パレットＰ１１に支持された被記録媒体Ｍは記録ヘッド５からカラーインクが吐出されて記録画像Ｉが形成されている最中である。また、パレットＰ４からパレットＰ１０に支持された被記録媒体Ｍは、第１領域１に設けられた加熱部１９によって、記録ヘッド４から吐出されたホワイトインク及び記録ヘッド５から吐出されたカラーインクを乾燥させている最中である。また、パレットＰ２及びパレットＰ３は、加熱部１９による乾燥領域を抜けており、パレットＰ２は回収部１８により方向Ｙに被記録媒体Ｍが回収されようとしている。そして、パレットＰ１は、供給部１７により方向Ｘに被記録媒体Ｍが供給されようとしている。
【００３８】
次に、本実施例のシート保持装置に該当するパレットＰについて詳細に説明する。  
図７は、本実施例のパレットＰを表す概略平面図である。また、図８は、図７のＺ−Ｚ線で切断した状態における本実施例のパレットＰを表す概略側断面図である。  
なお、図８はパレットＰの外枠２７を省略した図である。  
また、本実施例の被記録媒体Ｍは、２枚のシート（上層２５と下層２６）が重ねられて三方がシールされており、シール部３０を該三方に有する袋状の被記録媒体である。ただし、このような被記録媒体Ｍに限定されない。
【００３９】
図７で表されるように、本実施例のパレットＰは、四方に押圧部としてのテンションローラー２８ａ、２８ｂ、２８ｃ及び２８ｄを備えている。ユーザーが図７で表される位置に被記録媒体Ｍを載せると、テンションローラー２８ａ、２８ｂ、２８ｃ及び２８ｄがこれらに対向する位置に設けられた押し当て部としてのスロープＳに対して鉛直方向である方向Ｃに押し当てられ、該被記録媒体Ｍは該パレットＰにセットされる。  
なお、テンションローラー２８ａ、２８ｂ、２８ｃ及び２８ｄは、スロープＳに対して押し当てられことにより、テンションローラーフレーム２９ａ、２９ｂ、２９ｃ及び２９ｄに沿って方向Ｄに移動する。
【００４０】
また、図８で表されるように、本実施例のパレットＰは、スロープＳとして、第１押し当て部としてのスロープＳ１と、スロープＳ１に引き続いてテンションローラー２８ａ、２８ｂ、２８ｃ及び２８ｄが押し当てられ、該スロープＳ１よりも摩擦係数の高い第２押し当て部としてのスロープＳ２と、を備えている。
【００４１】
また、本実施例のパレットＰは、被記録媒体Ｍの記録を行う部分を保持する保持部３１は空間部３２になっている。そして、該空間部３２を介して、下部からパレットＰにセットされる被記録媒体Ｍを吸引部３３により吸引できる構成になっている。
【００４２】
図８を用いて、本実施例のパレットＰに被記録媒体Ｍがセットされる流れについて説明する。  
なお、図８は、図７のＺ−Ｚ線で切断した状態を表しているので、テンションローラー２８ｂ及び２８ｄが表されていないが、テンションローラー２８ｂ及び２８ｄは、方向Ｃにおいて、スロープＳに対して、テンションローラー２８ａ及び２８ｃと同様の位置となる。
【００４３】
図８（Ａ）は、ユーザーにより本実施例のパレットＰに被記録媒体Ｍが載せられた直後の状態を示している。このように、パレットＰに被記録媒体Ｍが載せられると、テンションローラー２８ａ、２８ｂ、２８ｃ及び２８ｄは方向Ｃに移動し、図８（Ｂ）で表される状態となる。
【００４４】
図８（Ｂ）の状態になると、被記録媒体Ｍの上層２５と下層２６との間に空間Ｖが形成されるよう、吸引部３３により下層２６が方向Ｃに吸引される。  
なお、吸引部３３により下層２６が方向Ｃに吸引されなくても空間Ｖは形成可能であるが、本実施例のパレットＰは、吸引部３３により下層２６を方向Ｃに吸引することにより、空間Ｖを効果的に形成している。
【００４５】
そして、テンションローラー２８ａ、２８ｂ、２８ｃ及び２８ｄが、スロープＳのうちのスロープＳ１に押し当てられると、図８（Ｃ）の状態となる。  
図８（Ｃ）の状態では、下層２６はスロープＳ１に押し当てられているので、テンションローラー２８ａ、２８ｂ、２８ｃ及び２８ｄが方向Ｃに移動することにより、下層２６よりも上層２５に大きな張力がかかる。また、下層２６は吸引部３３により方向Ｃに吸引されているので方向Ｃに移動し効果的に空間Ｖを形成する。
【００４６】
そして、図８（Ｃ）の状態から図８（Ｄ）の状態になると、テンションローラー２８ａ、２８ｂ、２８ｃ及び２８ｄが、スロープＳのうちのスロープＳ２に押し当てられる。  
図８（Ｄ）の状態では、下層２６は摩擦係数の高いスロープＳ２に押し当てられているので、下層２６の方向Ｃへの移動は停止される。一方、テンションローラー２８ａ、２８ｂ、２８ｃ及び２８ｄが方向Ｃに移動することにより、上層２５には引き続き張力がかかる。
【００４７】
そして、図８（Ｄ）の状態から図８（Ｅ）の状態になると、上層２５は保持部３１に張られた状態で保持される。また、上層２５と下層２６との間には、効果的に空間Ｖが形成されている。  
上記のように、本実施例の被記録媒体Ｍは、上層２５と下層２６の２枚のシートが重ねられて三方がシールされており、シール部３０を該三方に有する袋状の被記録媒体である。このような被記録媒体は上層２５と下層２６とが接する側にシーラントが設けられている場合が多く、本実施例の記録装置１のように、加熱部１９を備える記録装置で使用する場合、上層２５と下層２６との間に空間Ｖを設けていないと加熱部１９において上層２５と下層２６とが貼り付いてしまう場合がある。しかしながら、本実施例のパレットＰは、上層２５と下層２６との間に空間Ｖを設けることにより、上層２５と下層２６とが貼り付いてしまうことを抑制している。
【００４８】
上記のように、本実施例のパレットＰは、複数のシートを重ねて保持するテンションローラー２８ａ、２８ｂ、２８ｃ及び２８ｄとスロープＳと吸引部３３とを有するシート保持部を備え、前記シート保持部は、複数の前記シートの夫々に異なる張力を付与可能である。このため、複数の前記シートを重ねて保持する際、複数の前記シートの夫々にかかる張力を好ましい張力にすることができる。  
なお、本実施例のパレットＰの「複数の前記シートの夫々に異なる張力を付与」する構成は、複数の前記シートの夫々に摩擦力を利用して同じ方向から異なる大きさの力を加えつつ、下層２６を方向Ｃに吸引させて下層２６に異なる方向からも力を加える構成である。ただし、このような構成に限定されず、複数の前記シートの夫々に同じ方向から異なる大きさの力を加えるだけの構成や、同じ方向から同じ大きさの力を加えつつ複数の前記シートのいずれかに異なる方向から力を加えるだけの構成であってもよい。
【００４９】
また、複数の前記シート間に空間Ｖを設けた状態で、複数の前記シートを重ねて保持することが要求される場合がある。重ねられた前記シート同士が貼り付くなどの干渉等を抑制するためであるが、本実施例のパレットＰは、上層２５と下層２６との間に空間Ｖを設けた状態で被記録媒体Ｍを保持するので、重ねられた前記シート同士の干渉等を抑制することができる。
【００５０】
また、本実施例のパレットＰは、テンションローラー２８ａ、２８ｂ、２８ｃ及び２８ｄとスロープＳとの摩擦力により複数の前記シートを重ねて保持する構成である。このため、本実施例のパレットＰは、このような簡単な構成で複数の前記シートを重ねて保持することができる。  
なお、摩擦力により複数の前記シートを重ねて保持する代わりに、吸引力により複数の前記シートを重ねて保持する構成としてもよい。
【００５１】
また、本実施例のパレットＰは、複数の前記シートを重ねて押圧するテンションローラー２８ａ、２８ｂ、２８ｃ及び２８ｄと、テンションローラー２８ａ、２８ｂ、２８ｃ及び２８ｄが押し当てられるスロープＳ１と、スロープＳ１に引き続いてテンションローラー２８ａ、２８ｂ、２８ｃ及び２８ｄが押し当てられ、該スロープＳ１よりも摩擦係数の高いスロープＳ２と、を備えている。  
このように、パレットＰにおけるスロープＳ１とスロープＳ２とを摩擦係数の異なる材料で構成するというような簡単な構成で、複数の前記シートを重ねて保持する際、複数の前記シートの夫々にかかる張力を好ましい張力にしている。
【００５２】
また、本実施例のパレットＰは、重ねられた複数の前記シートを一方の側である下層２６側から吸引する吸引部３３を備えている。そして、吸引部３３が前記シートを吸引することにより複数の前記シート間に空間Ｖを設けている。本実施例のパレットＰは、このような簡単な構成で、複数の前記シート間に空間Ｖを設け、重ねられた前記シート同士の干渉等を抑制している。
【００５３】
また、本実施例の記録装置１は、上記の特徴を有するパレットＰと、パレットＰに保持された前記シートにインクを吐出して記録する記録ヘッド４及び５と、記録ヘッド４及び５で記録された前記シートの前記インクを加熱する加熱部１９と、を備えている。そして、パレットＰは、加熱部１９による加熱時において、複数の前記シートの夫々に異なる張力を付与し、複数の前記シート間に空間Ｖを設けた状態で、複数の前記シートを重ねて保持する。  
加熱部１９による前記インクの加熱時において、複数の前記シート間に空間Ｖを設けない状態で複数の前記シートを重ねて保持すると、加熱部１９の熱により複数の前記シート間が貼り付いてしまう虞がある。本実施例の記録装置１のパレットＰは、加熱部１９による加熱時において、複数の前記シート間に空間Ｖを設けた状態で複数の前記シートを重ねて保持する。このため、加熱部１９による加熱時において、複数の前記シート間が貼り付いてしまう虞を抑制している。
【００５４】
また、上記実施例についてシート保持方法として表現すると、本実施例のシート保持方法は、複数のシートを重ねて保持するシート保持方法であって、複数の前記シートの夫々に異なる張力を付与する。このようなシート保持方法により、複数の前記シートを重ねて保持する際、複数の前記シートの夫々にかかる張力を好ましい張力にすることができる。
【００５５】
［実施例２］（図９）  
以下に、実施例２のパレットＰについて、添付図面を参照して詳細に説明する。  
図９は、本実施例のパレットＰを表す概略側断面図である。なお、上記実施例１と共通する構成部材は同じ符号で示しており、詳細な説明は省略する。  
また、本実施例のパレットＰは、実施例１の記録装置１で使用可能なパレットである。
【００５６】
図９で表されるように、本実施例のパレットＰは、被記録媒体Ｍの上層２５と下層２６とに異なる張力を付与するシート保持部として、実施例１のパレットＰにおいてテンションローラー２８ａ、２８ｂ、２８ｃ及び２８ｄとスロープＳと吸引部３３とを備える代わりに、ローラー対３４及び３５を備えている。
【００５７】
ローラー対３４は、独立に駆動可能な駆動ローラー２１と駆動ローラー２２とを有している。図９（Ａ）で表されるように、ローラー対３４は、駆動ローラー２１を回転方向Ｒ１、駆動ローラー２２を回転方向Ｒ２に駆動することにより、被記録媒体Ｍの上層２５及び下層２６の両方に方向Ｚ１の力を付与することができる。  
また、ローラー対３５は、独立に駆動可能な駆動ローラー２３と駆動ローラー２４とを有している。図９（Ａ）で表されるように、ローラー対３５は、駆動ローラー２３を回転方向Ｒ２、駆動ローラー２４を回転方向Ｒ１に駆動することにより、被記録媒体Ｍの上層２５及び下層２６の両方に方向Ｚ２の力を付与することができる。  
そして、ローラー対３４により被記録媒体Ｍの上層２５及び下層２６の両方に方向Ｚ１の力を付与し、ローラー対３５により被記録媒体Ｍの上層２５及び下層２６の両方に方向Ｚ２の力を付与することで、被記録媒体Ｍに空間Ｖを設けずに張力を付与することができる。
【００５８】
一方、図９（Ｂ）で表されるように、ローラー対３４の駆動ローラー２１を停止しつつ駆動ローラー２２を回転方向Ｒ２に駆動することにより、被記録媒体Ｍの上層２５のみに方向Ｚ１の力を付与することができる。  
また、図９（Ｂ）で表されるように、ローラー対３５の駆動ローラー２３を停止しつつ駆動ローラー２４を回転方向Ｒ１に駆動することにより、被記録媒体Ｍの上層２５のみに方向Ｚ２の力を付与することができる。  
ローラー対３４及びローラー対３５をこのように駆動することにより、被記録媒体Ｍに空間Ｖを設けつつ張力を付与することができる。
【００５９】
上記のように、本実施例のパレットＰのシート保持部は、複数の前記シートを重ねてニップするローラー対３４及び３５であって、ローラー対３４及び３５は、該ローラー対３４及び３５を構成する夫々のローラー２１、２２、２３及び２４を個別に駆動可能である。このため、ローラー対３４及び３５により、複数の前記シートを重ねて保持する際、複数の前記シートの夫々にかかる張力を精度よく好ましい張力にすることができる。
【符号の説明】
【００６０】
１  記録装置、２  第１領域、３  第２領域、４  記録ヘッド（記録部）、
５  記録ヘッド（記録部）、６  ガイドバー、７  キャリッジ、８  ガイドバー、
９  キャリッジ、１０  記録ヘッド４による記録位置、
１１  記録ヘッド５による記録位置、１２  ローラー、
１３  第１搬送経路、１４  第２搬送経路、１５  キャリッジ、
１６  キャリッジ、１７  供給部、１８  回収部、１９  加熱部、
２０  パレット移動部、２１  駆動ローラー、２２  駆動ローラー、
２３  駆動ローラー、２４  駆動ローラー、２５  上層（シート）、
２６  下層（シート）、２７  外枠、
２８ａ、２８ｂ、２８ｃ、２８ｄ  テンションローラー（シート保持部）、
２９ａ、２９ｂ、２９ｃ、２９ｄ  テンションローラーフレーム、３０  シール部、
３１  保持部、３２  空間部、３３  吸引部（シート保持部）、
３４  ローラー対（シート保持部、押圧部）、
３５  ローラー対（シート保持部、押圧部）、Ｉ  記録画像、
Ｍ  被記録媒体（シート）、Ｐ（Ｐ１からＰ１２）  パレット（シート保持装置）、
Ｓ  スロープ（シート保持部）、Ｓ１  スロープ（シート保持部、第１押し当て部）、
Ｓ２  スロープ（シート保持部、第２押し当て部）、Ｖ  空間、Ｗ  下地層
【図１】
2015098143.tif 000003
【図２】
2015098143.tif 000004
【図３】
2015098143.tif 000005
【図４】
2015098143.tif 000006
【図５】
2015098143.tif 000007
【図６】
2015098143.tif 000008
【図７】
2015098143.tif 000009
【図８】
2015098143.tif 000010
【図９】
2015098143.tif 000011